【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
電気機器の界磁組立体用のシリンダ・磁石組立体の製造方法であって、
（ａ）固定部材を有するシリンダの表面周りに磁石を位置決めすることと、
（ｂ）上記磁石および上記固定部材周りにプラスチックを成型して上記磁石を上記シリンダに繋止することとを具備する製造方法。
【請求項２】
上記界磁組立体はステータである請求項１に記載の製造方法。
【請求項３】
上記界磁組立体はロータである請求項１に記載の製造方法。
【請求項４】
ブランクからシリンダを打抜くことと、ブランクからシリンダを巻作るのを容易にすると共に磁気チョークを提供するために上記固定部材の第一部分および第二部分がシリンダの内面と交わる位置にブランクに孔を打抜くことと、打抜き済みブランクを巻いて上記シリンダを形成することとを更に有する請求項２に記載の製造方法。
【請求項５】
上記シリンダは、該シリンダの内面上に軸線方向に各磁石を配置するために各磁石用の内側に突出する停止タブを有し、上記シリンダの内面周りに上記磁石を配置することは各停止タブに対して上記磁石を位置決めすることを含む請求項２に記載の製造方法。
【請求項６】
上位固定部材および磁石周りにプラスチックを成型することは、上記磁石の内面とモータのアーマチュアのロータとの間のエアギャップを小さくするために上記磁石の内面上にプラスチックが成型されるように上記磁石周りにプラスチックを成型することを含む請求項２に記載の製造方法。
【請求項７】
上記磁石および固定部材周りにプラスチックを成型することは、実質的に上記磁石の内径と外径との間にプラスチックの湯口を位置せしめることを含む請求項２に記載の製造方法。
【請求項８】
上記磁石は、両端に平坦部を備えた内面を有し、上記磁石の内径と外径との間にプラスチックの湯口を位置せしめることは、実質的に上記平坦部と上記磁石の内径との間であって該磁石の平坦部上にプラスチックの湯口を位置せしめることを含む請求項７に記載の製造方法。
【請求項９】
上記磁石および固定部材周りにプラスチックを成型することは、プラスチックの成型によって形成されるプラスチック成型品の少なくとも一つの端壁に少なくとも一つの案内機構を形成することを含む請求項２に記載の製造方法。
【請求項１０】
各磁石は上記シリンダの表面上に上記磁石を配置するように隣り合った固定部材の間に位置決めされる請求項１に記載の製造方法。
【請求項１１】
上記ブランクを打抜くことは、該ブランクを巻いて磁束リングを形成するのを容易にするために、各固定部材が少なくとも一つの全長に亘るスプリットを有するようにブランクを打抜くことを含む請求項４に記載の製造方法。
【請求項１２】
電気機器の界磁組立体用のシリンダ・磁石組立体であって、
（ａ）固定部材が突出する内面を有するシリンダと、
（ｂ）複数の磁石であって、これら磁石および固定部材の周りに成型されたプラスチック成型品によって上記シリンダの表面に繋止された磁石とを具備するシリンダ・磁石組立体。
【請求項１３】
各磁石は上記シリンダの表面上に磁石が配置されるように隣り合った固定部材間に受容される請求項１２に記載のシリンダ・磁石組立体。
【請求項１４】
上記界磁組立体はステータであり、上記固定部材はシリンダの内面から径方向内側に突出すると共にその高さは磁石の高さよりも高く、間に磁石を受容する隣り合った固定部材の径方向内側端部間の距離は磁石の内面の両縁部間の距離よりも短く、これにより磁石が径方向内側に移動しないように保持される請求項１３に記載のシリンダ・磁石組立体。
【請求項１５】
上記磁石の側壁は固定部材と平行に径方向内側に延びる請求項１４に記載のシリンダ・磁石組立体。
【請求項１６】
上記界磁組立体はロータである請求項１２に記載のシリンダ・磁石組立体。
【請求項１７】
上記界磁組立体はステータであり、各固定部材は、シリンダの内面から内側に延びる第一よび第二の対面する部分と、第一および第二の対面する部分間で延び且つシリンダの内面から内側に離間される第三部分とを有し、該第三部分は該第三部分が近接する磁石のほぼ全長に亘ってシリンダを横断するように延びる請求項１２または１３に記載のシリンダ・磁石組立体。
【請求項１８】
シリンダおよび各固定部材の第一および第二の部分は、各固定部材の第一部分および第二部分の基部がシリンダの内面と交わる位置に孔を有し、該孔は磁気チョークとして作用する請求項１７に記載のシリンダ・磁石組立体。
【請求項１９】
界磁組立体は少なくとも一対のＮ極およびＳ極を有するステータであり、各極は複数の磁石を有し、当該シリンダ・磁石組立体は、各極の磁石の内面を横断して配置され且つプラスチックの成型によってシリンダ内に繋止される磁束スプレッダを更に有する請求項１２に記載のシリンダ・磁石組立体。
【請求項２０】
各磁束スプレッダは軟磁性材料部材であり、各端部において径方向外側に延びるフランジを備える弧状部材として形作られ、各磁束スプレッダのはばは磁石の長さとほぼ同一である請求項１９に記載のシリンダ・磁石組立体。
【請求項２１】
上記界磁組立体はステータであり、上記シリンダは磁束リングである請求項１２に記載のシリンダ・磁石組立体。
【請求項２２】
上記界磁組立体はステータであり、上記シリンダはステータハウジングである請求項１２に記載のシリンダ・磁石組立体。
【請求項２３】
上記界磁組立体はステータであり、プラスチック成型品が成型されたときに、少なくとも一つの案内機構がプラスチック成型品の端壁の少なくとも一つに形成される請求項１２に記載のシリンダ・磁石組立体。
【請求項２４】
少なくとも一対のＮ極およびＳ極を有し、各極は複数の磁石を有し、固定部材は磁束スプレッダとして形成される請求項１４、１５および１７〜２３のいずれか１項に記載のシリンダ・磁石組立体。
【請求項２５】
少なくとも一対のＮ極とＳ極とを有し、各極は複数の磁石を有し、プラスチック成型品は複数の磁石と、Ｎ極およびＳ極の磁石周りのプラスチック成型品を有するプラスチック成型品とを有し、プラスチック成型品は、Ｎ極およびＳ極周りのプラスチック成型品が磁束スプレッダとして作用するように、強磁性の添加物を有するプラスチックから成型される請求項１２に記載のシリンダ・磁石組立体。
【請求項２６】
モータのステータ用のシリンダ・磁石組立体の製造方法であって、
（ａ）シリンダの内面周りに磁石を位置決めすることを具備し、各磁石が少なくとも一つの段状縁部と内側に対面する表面を有し、
（ｂ）少なくとも一つの段状縁部を有する磁石周りにプラスチックを成型してシリンダに磁石を繋止することを具備する製造方法。
【請求項２７】
モータ用のシリンダ・磁石組立体であって、
（ａ）シリンダと、
（ｂ）上記シリンダの内面周りに配置された複数の磁石であって、各磁石が少なくとも一つの段状縁部を備える内側に面する表面を有する磁石と、
（ｃ）上記少なくとも一つの段状縁部を含む磁石の周りに成型されたプラスチック成型品によりシリンダの内面に磁石が繋止されることとを具備するシリンダ・磁石組立体。
【請求項２８】
各磁石は矩形状であり、各磁石の内面は第一および第二の対の両側の縁部を有し、少なくとも一つの対の両側の縁部は段状となっており、シリンダは段状の縁部を有する各磁石の両側に配置された固定部材を有し、各固定部材はシリンダの内面から内側へ延びるフィンガを有し、該フィンガは該フィンガが近接する上記磁石の側部の段状の縁部へと延びる末端部を有する請求項２７に記載のシリンダ・磁石組立体。
【請求項２９】
各磁石はシリンダの弧状部材として形作られる請求項２８に記載のシリンダ・磁石組立体。
【請求項３０】
モータの界磁組立体用のシリンダ・磁石組立体の製造方法であって、
（ａ）磁石をシリンダの表面に形成された磁石受容ポケット内に位置決めして、シリンダの表面上に磁石を配置することと、
（ｂ）磁石をシリンダに繋止するように磁石周りにプラスチックを成型し、プラスチックの成型中には磁石受容ポケットが磁石を所定位置に保持する製造方法。
【請求項３１】
上記界磁組立体はステータであり、上記磁石組立体は上記シリンダの内面に形成される請求項３０に記載の製造方法。
【請求項３２】
上記界磁組立体はロータであり、上記磁石組立体は上記シリンダの外面に形成される請求項３０に記載の製造方法。
【請求項３３】
上記磁石および固定部材周りにプラスチックを成型することは、プラスチックを成型することによってプラスチック成型品の少なくとも一つの端壁に少なくとも一つの案内機構を形成することを含む請求項３１に記載の製造方法。
【請求項３４】
電気機器の界磁組立体用のシリンダ・磁石組立体であって、
（ａ）複数の磁石受容ポケットを有するシリンダと、
（ｂ）上記磁石受容ポケット内に受容された複数の磁石と、
（ｃ）上記磁石の周りに成型されて該磁石を上記シリンダに繋止するプラスチックとを具備するシリンダ・磁石組立体。
【請求項３５】
上記界磁組立体はステータであり、上記シリンダは内部にプラスチックが成型される内側に開いている少なくとも一つのキー溝を有する請求項３４に記載のシリンダ・磁石組立体。
【請求項３６】
上記界磁組立体はステータであり、上記シリンダはその周りにプラスチックが成型される内側に突出する少なくとも一つのキーを有する請求項３４に記載のシリンダ・磁石組立体。
【請求項３７】
上記界磁組立体はステータであり、且つ少なくとも一つの対のＮ極およびＳ極を有し、上記複数の磁石は各極用の複数の磁石を有する請求項３４に記載のシリンダ・磁石組立体。
【請求項３８】
上記シリンダは各磁石用に磁石受容ポケットを有する請求項３７に記載のシリンダ・磁石組立体。
【請求項３９】
上記界磁組立体はステータであり、プラスチック成型品が成型されるときに少なくとも一つの案内機構がプラスチック成型品の少なくとも一方の端壁に形成される請求項３４に記載のシリンダ・磁石組立体。
【請求項４０】
少なくとも一対のＮ極およびＳ極を更に具備し、各極は複数の磁石を有し、プラスチック成型品はＮ極およびＳ極それぞれの磁石周りに成型されたプラスチックを有し、該プラスチック成型品は、Ｎ極およびＳ極それぞれの周りのプラスチック成型品が磁束スプレッダとして作用するように、強磁性添加物を有するプラスチックから成型される請求項３４に記載のシリンダ・磁石組立体。
【請求項４１】
上記界磁組立体はステータである請求項３４に記載のシリンダ・磁石組立体。
【請求項４２】
上記界磁組立体はロータである請求項３４に記載のシリンダ・磁石組立体。
【請求項４３】
モータのステータ用のシリンダ・磁石組立体であって、当該組立体は少なくとも一対のＮ極およびＳ極を有するシリンダ・磁石組立体において、
（ａ）シリンダと、
（ｂ）上記シリンダの内面上に配置された当該組立体の各極用の複数の磁石と、
（ｃ）各極用の磁束スプレッダであって、各磁束スプレッダが関連する極の磁石の内面に近接して配置されると共に関連する極の磁石の内面のほぼ全体を横断して延びる磁束スプレッダと、
（ｄ）上記磁石を備えたシリンダの第一端部および第二端部に受容されると共に間に磁束スプレッダが受容される第一繋止リングおよび第二繋止リングとを具備するシリンダ・磁石組立体。
【請求項４４】
請求項１４、１５、１７〜２４、２７〜２９、３５、３７〜３９、４１および４３のいずれか１項に記載のシリンダ・磁石組立体が中に配置されるモータであって、上記ステータ内で回転可能なアーマチュアと、該アーマチュアと共に回転可能であってシャフトを介して上記アーマチュアに連結される整流子と、該整流子と協動するブラシ組立体とを有するモータ。
【請求項４５】
請求項４４に記載のモータが中に配置される動力工具であって、
（ａ）中にモータが配置されるハウジングと、
（ｃ）動力供給源と、
（ｄ）上記モータのシャフトに連結された出力部材と、
（ｅ）上記モータにエネルギを供給および非供給とするために上記モータと上記動力源との間に電気的に接続されたアクチュエータ部材とを具備し、上記モータはエネルギが供給されると上記出力部材を回転させる動力工具。